(57)【要約】締め付け力が強く、締め付けによって鉛筆の表面に傷が付くこともなく、しかも、製造が簡単な鉛筆削りを提供する。  鉛筆差込穴11と同心円上に配設された複数の枢支部12を備えたハウジング10と、円弧状の溝部23を有する枠体20と、夫々の枢支部12に回動可能に取り付けられた複数のカム状部材30と、からなり、枠体が回動することで、その溝部にガイドされながらカム状部材が夫々相対移動し、先端が差込穴に離接する方向に揺動することで、差し込まれた鉛筆の固定と解除を行う。【選択図】図３
2012029463.tif 000002
【特許請求の範囲】
【請求項１】
差し込まれた鉛筆を固定するチャック部（２）を、
鉛筆差込穴（１１）と、該鉛筆差込穴（１１）から同一距離上に配設された複数の枢支部（１２）と、鉛筆の固定操作を行なうための固定操作部（１３）と、を備えたハウジング（１０）と、
前記鉛筆差込穴（１１）と連通可能な差込穴（２１）を備えると共に、前記固定操作部（１３）と共に鉛筆の固定操作を行なう可動操作部（２２）を備え、前記枢支部（１２）に対応する位置に円弧状の溝部（２３）を有する枠体（２０）と、
被枢支部（３１）において前記枢支部（１２）に取り付けられると共に、先端に弾性部材（４０）を取り付けて、前記被枢支部（３１）を中心に回動することによって、前記弾性部材（４０）が前記差込穴（２１）に離接する方向に揺動する複数のカム状部材（３０）と、によって構成し、
前記可動操作部（２２）を前記固定操作部（１３）に近接させることで、前記枠体（２０）が前記差込穴（２１）を中心に回動し、前記被枢支部（３１）が前記溝部（２３）にガイドされながら相対移動して前記カム状部材（３０）の先端が前記差込穴（２１）から離反する方向に揺動するように該枠体（２０）を付勢したことを特徴とする鉛筆削り。
【請求項２】
前記カム状部材（３０）には、前記被枢支部（３１）に対して直角方向に延びる平面（３２）に、内側開口部において前記被枢支部（３１）を形成すると共に外周面において前記弾性部材（４０）を環装する筒部（３３）が設けられたことを特徴とする請求項１に記載の鉛筆削り。
【請求項３】
前記筒部（３３）の外周面に凹部（３５）を設け、該凹部（３５）に嵌合可能な凸部（４１）を前記弾性部材（４０）の内周面に設け、前記カム状部材（３０）の揺動によって、前記凸部（４１）の位置する外周面（４２）が前記差込穴（２１）に挿通された鉛筆を押圧するように構成したことを特徴とする請求項２に記載の鉛筆削り。
【請求項４】
前記弾性部材（４０）は、内周面に設けられた肉厚部において前記凸部（４１）を構成したことを特徴とする請求項３に記載の鉛筆削り。
【請求項５】
前記凸部（４１）を含む先端領域の幅（Ｗ）を、他の領域の幅よりも広くしたことを特徴とする請求項４に記載の鉛筆削り。
【発明の詳細な説明】
【技術分野】
【０００１】
本発明は、机上に載置して使用される鉛筆削りに関し、特に、差し込まれた鉛筆を締め付けるためのチャック機構を有する鉛筆削りに関する。
【背景技術】
【０００２】
机上に載置して使用される電気式又は手動式の鉛筆削りは、差し込まれた鉛筆を固定するためのチャック部と、固定された鉛筆を削る切削部と、を軸線上に配置した構造であり、切削部が鉛筆の周りを回転しながら移動することで、鉛筆の周側面が削られ、芯を尖らせるようになっている。
このような鉛筆削りのチャック部として、特開２００８−２３７５３号公報には、ゴム製のリング部材の外周に、縮径方向に付勢されたリング状のバネ部材を環装し、その両端に設けられた開閉操作片を拡径方向に操作しながら鉛筆を差し込むことよって、リング部材内に挿入された鉛筆が固定されるようにしたものが開示されている。【０００３】
また、特表２００１−５２６１３９号公報には、差し込まれた鉛筆を、半径方向の複数の保持舌片によって、鉛筆の中心軸線に対して同軸的に締め付けて固定するチャック機構も提案されている。
このチャック機構において保持舌片は、鉛筆を保持するための枠体内の３箇所に、バネ付勢された状態で揺動可能に取り付けられており、枠体が鉛筆の軸線を中心として回動することで、各保持舌片がばね圧に抗した回動運動によって、鉛筆を締め付ける位置から開放する位置へと変位するようになっている。【０００４】
鉛筆を挿入するために保持舌片を開放するには、鉛筆差込穴を有するハウジングの上端に設けられた固定操作部と、枠体の上端に設けられた可動操作部と、を手で摘んで近接させ、枠体を回動させることで可能となる。
開放された保持舌片の間に鉛筆を差し込み、双方の操作部を放すと、保持舌片の先端が鉛筆の中心軸線に向かって揺動し、差し込まれた鉛筆を締め付ける。
【先行技術文献】
【特許文献】
【０００５】
【特許文献１】特開２００８−２３７５３号公報
【特許文献２】特表２００１−５２６１３９号公報
【発明の概要】
【発明が解決しようとする課題】
【０００６】
しかし、特開２００８−２３７５３号公報のチャック部は、ゴム製のリング部材を介在させ、リング状のバネ部材で鉛筆の周囲を全体的に締め付けるので、鉛筆の周側面に作用する押圧力が均一化し、締め付け力が相対的に弱くなる。また、ゴム製のリング部材の磨耗に伴い、押圧力が低下し、切削部の回転に伴って鉛筆が共回りしてしまう場合がある。
特表２００１−５２６１３９号公報のチャック機構は、締め付け力は強いが、保持舌片先端の凸凹による締め付けの跡が、鉛筆の周側面に傷となって残る可能性がある。また、各保持舌片を、鉛筆の締め付けが可能となるようなバネ力で夫々付勢する必要があるので、構造が複雑になり、製造作業が煩雑化する。【０００７】
そこで、本発明は、締め付け力が強く、締め付けによって鉛筆の表面に傷が付くこともなく、しかも、製造が容易な鉛筆削りの提供を目的とする。
【課題を解決するための手段】
【０００８】
上記課題を解決するために、本発明に係る鉛筆削りは、差し込まれた鉛筆を固定するためのチャック部を、鉛筆差込穴と、該鉛筆差込穴から同一距離上に配設された複数の枢支部と、鉛筆の固定操作を行なうための固定操作部と、を備えたハウジングと、前記鉛筆差込穴に連通可能な差込穴を備えると共に、前記固定操作部と共に鉛筆の固定操作を行なう可動操作部を備え、前記枢支部に対応する位置に円弧状の溝部を有する枠体と、被枢支部において前記枢支部に取り付けられると共に、先端に弾性部材を取り付けて、前記被枢支部を中心に回動することによって、前記弾性部材が前記差込穴に離接する方向に揺動する複数のカム状部材と、によって構成し、前記可動操作部を前記固定操作部に近接させることで、前記枠体が前記差込穴を中心に回動し、前記被枢支部が前記溝部にガイドされながら相対移動して前記カム状部材の先端が前記差込穴から離反する方向に揺動するように該枠体を付勢したことを特徴とするものである。
【発明の効果】
【０００９】
本発明に係る鉛筆削りは、差し込まれた鉛筆を固定するためのチャック部を、鉛筆差込穴から同一距離上に配設された複数の枢支部を有するハウジングと、その枢支部に対応する位置に円弧状の溝部を複数設けた枠体と、それらの溝部にガイドされて溝部内を相対移動するカム状部材と、によって構成し、ハウジングに設けられた固定操作部に対して、枠体に設けられた可動操作部を近接させることで枠体が回動し、カム状部材が枢支部を中心に偏心回転するようにしたので、カム状部材の先端が差込穴に離接するように揺動させるための機構を簡単な構成で実現することができる。
このため、設計精度を高めることなく、締め付け能力の高いチャック部を製造することが可能となり、製造工程を簡略化することができる。また、カム状部材の先端の弾性部材を介して、差込穴に挿入された鉛筆が締め付けられるので、鉛筆の表面に締め付けの跡が傷となって残ることを防止できる。
【図面の簡単な説明】
【００１０】
【図１】本発明の実施形態に係る鉛筆削りを示す斜視図である。
【図２】上記鉛筆削りの内部構造を示す分解斜視図である。
【図３】上記鉛筆削りのチャック部の構造を示す要部断面図であり、（ａ）は初期状態、（ｂ）はチャックを開放した状態を示す。
【図４】ゴム部材の装着前と装着後のカム状部材を示し、（ａ）は正面図、（ｂ）はＡ−Ａ線矢視断面図、（ｃ）は平面図である。
【発明を実施するための形態】
【００１１】
本発明の好適な実施形態について、添付図面に基づいて説明する。なお、実施形態は以下の形態に限定されるものではなく、本発明の課題を解決しうるものであれば他の態様も実施可能である。
【００１２】
図１は、本発明に係る鉛筆削り１の斜視図である。  
この鉛筆削り１は、机上に載置して使用される手動式の鉛筆削りであり、差し込まれた鉛筆を固定するためのチャック部２を、本体ハウジング３の正面部に引き出し可能に取り付け、背面部に操作ハンドル４を取り付けたものである（図２を参照）。
【００１３】
本体ハウジング３の内部には、チャック部２によって固定された鉛筆を削るための切削部５と、その切削部５を回転させながら鉛筆周りを移動させるため回転機構６と、が設けられており、それらの下に、切削屑を受けるための屑箱７が引き出し可能に配設されている。
鉛筆が差し込まれる鉛筆削り１の正面側から、チャック部２、切削部５、回転機構６、そして操作ハンドル４の順に軸線上に配置されている。
【００１４】
このような鉛筆削り１におけるチャック部２の構造を以下に詳述する。
チャック部２は、差し込まれた鉛筆を固定するための部位であり、本体ハウジング３の正面に設けられた複数の取り付け孔８に、取り付け軸９を挿入することによって引き出し可能に取り付けられている。
【００１５】
取り付け軸９のうちの１つは、本体ハウジング３に向けて付勢されたチャック部２を、引き出された位置で固定するためのチャックストッパであり、本体ハウジング３の取り付け孔８’の周縁に係止させるための屈曲部９’が設けられている。
このチャック部２は、取り付け軸９を裏面側に向けて突出させたチャックハウジング１０に、枠体２０と、複数のカム状部材３０と、を収容した構成となっている（図３を参照）。
【００１６】
即ち、チャックハウジング１０は、取り付け軸９を介して本体ハウジング３に取り付けられた状態となっており、中央に鉛筆差込穴１１を設け、その鉛筆差込穴１１の同心円上に、複数の枢支部１２を配設した構造である。上端部には、チャックハウジング１０を本体ハウジング３から引き出しながら、鉛筆の固定操作を行なうための固定操作部１３が設けられている。
【００１７】
この固定操作部１３の近傍には小孔１４が設けられており、この小孔１４に挿入された線状のバネ材１５を介し、枠体２０が、チャックハウジング１０に対して回転可能に取り付けられる。
枠体２０は、チャックハウジング１０の鉛筆差込穴１１に連通可能な差込穴２１を中央に備え、外周には、固定操作部１３と共に鉛筆の固定操作を行なうため可動操作部２２を設けている。
そして、中央の差込穴２１の周りに、円弧状の溝部２３を３箇所に設けている。夫々の溝部２３は、差込穴２１から同一の距離だけ離れた位置に等間隔に設けられており、各溝部２３内には、チャックハウジング１０の裏面に設けられた枢支部１２が差し込まれている。
【００１８】
チャックハウジング１０の夫々の枢支部１２には、カム状部材３０が、その被枢支孔３１を介して回動可能に取り付けられている。
このカム状部材３０は、図４に示すように、カム形状の平面部３２に筒部３３を立設して構成された基部材３４の先端に、ゴム部材４０を取り付けることによって構成される。
即ち、基部材３４は、中央に被枢支孔３１を設け、その被枢支孔３１に対して直角方向に延びる平面部３２に、被枢支孔３１を形作るための筒部３３を設けて構成されており、筒部３３の外周に、リング状のゴム部材４０を取り付けることによってカム状部材３０が構成される。
【００１９】
基部材３４は、合成樹脂製の部材であり、その筒部３２の周側面には、凹部３５が設けられている。
一方、ゴム部材４０は、内周面に凸部４１を有しており、その凸部４１を、筒部３２の凹部３５に嵌め込むことで、外れないように基部材３４に取り付けられる。
このゴム部材４０の凸部４１は、ゴム材の厚みを、内側に向けて厚くすることで構成されており、この肉厚部（４１）を含む先端領域の幅Ｗが、他の領域の幅よりも広くなるように設計されている。
【００２０】
基部材３４の凹部３５は、カム状部材３０が被枢支孔３１を中心に揺動した際、枠体２０の鉛筆差込穴１１に最も接近する位置に設けられており、その凹部３５にゴム部材４０の凸部４１が嵌め込まれることで、凸部４１の裏側の外周面４２において、鉛筆を押圧するようになっている（図３（ａ）を参照）。
カム状部材３０は、基部材３４の基端に設けられた係止部３６において、枠体２０の被係止部２４に、揺動可能に係止されている。  
【００２１】
チャックハウジング１０の小孔１４に差し込まれた線状のバネ材１５は、鉛筆差込穴１１を囲むような湾曲状態で配設されており、チャックハウジング１０の固定操作部１３から可動操作部２２が離反する方向に、枠体２０を付勢している。
この状態から、可動操作部２２を固定操作部１３に近接させることで、枠体２０が差込穴３１を中心として回動し、チャックハウジング１０の枢支部１２が枠体２０の溝部２３内を相対移動する。これによって、カム状部材３０は、その係止部３６が枠体２０に摺接しながら係止された状態で、枢支軸１２を中心として偏心回転し、先端のゴム部材４０の外周面４２において、鉛筆差込穴１１に挿通された鉛筆を押圧するようになっている（図３（ｂ）を参照）。
【００２２】
上記構成の鉛筆削り１の使用状態を説明する。
先ず、固定操作部１３と可動操作部２２を摘みながら、本体ハウジング３からチャック部２を引き出す。この際、チャックハウジング１０と枠体２０との間に介装されたバネ材１５が弾性変形され、枠体２０が回動する。
この回動によって、枠体２０の溝部２３にガイドされながら、チャックハウジング１０の枢支部１２が溝部２３内を摺動する。この枢支部１２の摺動によって、カム状部材３０が被枢支部３１を軸として偏心回転し、ゴム部材４０の先端面（４２）が鉛筆差込穴１１の中心部から離反し、チャックが開放される。
【００２３】
この状態で、鉛筆差込穴１１に鉛筆を挿入し、先端部を本体ハウジング２内の切削部３に押し付けた状態で、可動操作部２２を放す。
すると、線状のバネ材１５の弾性変形によって、枠体２０が初期位置に向けて回転する（図３（ａ）を参照）。この回転によって、溝部２３にガイドされながら、チャックハウジング１０の枢支部１２が相対移動し、それによるカム状部材３０の偏心回転によって、カム状部材３０の先端（４２）が鉛筆差込穴１１の中心部に接近する方向に揺動し、差し込まれた鉛筆を複数の方向から締め付ける。
【００２４】
このように本実施形態のチャック部２は、鉛筆差込穴１１から同一距離の位置に複数の枢支部１２を有するチャックハウジング１０内に、その枢支部１２に対応する位置に円弧状の溝部２３を設けた枠体２０を、線状のバネ部材１５を介して付勢状態で収容し、枠体２０の回動によって、その溝部２３にカム状部材３０の被枢支部３１がガイドされて相対移動することによって、カム状部材３０が被枢支部３１を軸として偏心回転するようにしたので、カム状部材３０の先端が差込穴２１から離接するように揺動させるための機構を簡単な構成で実現することができる。
【００２５】
特に、カム状部材３０の先端のゴム部材４０を介して鉛筆が締め付けられるので、鉛筆の表面に締め付けの跡が傷となって残ることを防止できる。
また、チャックハウジング１０と枠体２０との間に、線状のバネ材１５を、鉛筆差込穴１１を囲むような湾曲状態で配設したので、可動操作部２２を固定操作部１２に接近させることで、枠体２０を回動させてカム状部材３０を揺動させ、鉛筆差込穴１１に挿入された鉛筆を締め付ける機構を簡単な構成で実現することができる。
また、カム状部材３０に筒部３３を設け、その筒部３３にリング状のゴム部材４０を環装したので、ゴム部材４０をカム状部材３０の先端にしっかりと取り付けることができる。
【００２６】
特に、カム状部材３０の筒部３３に凹部３５を設けると共に、その凹部３５に嵌合可能な凸部４１をゴム部材４０の内周面に設け、カム状部材３０の揺動によって凸部４１の裏側の外周面４２において鉛筆を押圧するようにしたので、鉛筆を強い力で押圧することができる。また、強い力で鉛筆を押圧した際に、筒部３３からゴム部材４０が外れるのを防止することもできる。
また、鉛筆に当接する部位のゴム部材４０の厚みを大きくすることで、基部材３４の凹部３５に嵌合される凸部４１を形成したので、鉛筆に対して適度な押圧力を有すべく、カム状部材３０の弾性力を設計することが容易である。
さらに、凸部を含む先端領域の幅Ｗを、他の領域の幅よりも広くしたので、安定かつ強力に鉛筆を保持することが可能となる。
【００２７】
なお、本発明の鉛筆削りは、電動式のものであってもよい。
また、チャック部は、複数の方向から、鉛筆の中心軸線に対して同軸的に締め付けて固定することができるように、カム状部材の数や形状を適宜変更することができる。
カム状部材の先端に設けられるゴム部材は、弾性部材であれば如何なる材料で構成されていても良く、形状もリング状に限定されるものではない。
また、本実施形態では、弾性部材の凸部を、リング状のゴム部材４０と同一の材料で一体形成したが、別部材を接合して構成してもよい。
【産業上の利用可能性】
【００２８】
本発明は、筆記具を削るための事務用品の産業分野に止まらず、アイペンシルを削るための鉛筆削りとして化粧品の分野、棒状の部材を削って楔などを製造するための鉛筆削りとして建築の分野など、あらゆる産業分野において、長尺物の先端を削るための装置として適用することができる。
【符号の説明】
【００２９】
１・・・鉛筆削り
２・・・チャック部
３・・・本体ハウジング
４・・・操作ハンドル
５・・・切削部
６・・・回転機構
７・・・屑箱
８・・・取り付け孔
９・・・取り付け軸
１０・・・チャックハウジング
１１・・・鉛筆差込穴
１２・・・枢支部
１３・・・固定操作部
１４・・・小孔
１５・・・バネ材
２０・・・枠体
２１・・・差込穴
２２・・・可動操作部
２３・・・溝部
３０・・・カム状部材
３１・・・被枢支孔（被枢支部）
３２・・・平面部
３３・・・筒部
３４・・・基部材
３５・・・凹部
３６・・・係止部
４０・・・ゴム部材（弾性部材）
４１・・・凸部
４２・・・外周面（先端）
【図１】
2012029463.tif 000003
【図２】
2012029463.tif 000004
【図３】
2012029463.tif 000005
【図４】
2012029463.tif 000006
【国際調査報告】
2012029463.tif 000007
2012029463.tif 000008
2012029463.tif 000009
2012029463.tif 000010